(57)【要約】【課題】  熱交換装置を形成するための手間とコストを軽減する。【解決手段】  少なくとも１つの流動可能な媒体のための少なくとも１つの第１の集合および／または分配装置を有し、集合および／または分配装置が、媒体が少なくとも部分的に貫流する、多数の貫流装置と流体接続されており、かつ集合および／または分配装置が少なくとも１つの底装置、カバー装置および分離装置を有しており、前記分離装置が集合および／または分配装置を少なくとも２つの部分室に分割する熱交換装置、特に自動車のための熱交換装置において、  底装置が、底装置の、集合および／または分配装置に関して予め定められた平面から内側へ突出する少なくとも１つの突出部を有しており、かつ分離装置の少なくとも１つの部分が、突出部の少なくとも１つの側面および底装置の平面の少なくとも１つの部分と、少なくとも間接的に接触していることを特徴とする、熱を交換する装置。。【選択図】  図２
2007526431.tif 000002
【特許請求の範囲】
【請求項１】
少なくとも１つの流動可能な媒体のための少なくとも１つの第１の集合および／または分配装置を有し、集合および／または分配装置が、媒体が少なくとも部分的に貫流する、多数の貫流装置と流体接続されており、かつ集合および／または分配装置が少なくとも１つの底装置、カバー装置および分離装置を有しており、前記分離装置が集合および／または分配装置を少なくとも２つの部分室に分割する熱交換装置、特に自動車のための熱交換装置において、
底装置が、底装置の、集合および／または分配装置に関して予め定められた平面から内側へ突出する少なくとも１つの突出部を有しており、かつ分離装置の少なくとも１つの部分が、突出部の少なくとも１つの側面および底装置の平面の少なくとも１つの部分と、少なくとも間接的に接触していることを特徴とする、熱を交換する装置。
【請求項２】
内側へ突出する突出部が、底装置の平面とほぼ直角を形成する、少なくとも１つの側面を有しており、かつ分離装置がこの直角に配置されていることを特徴とする請求項１に記載の装置。
【請求項３】
多数の内側へ突出する突出部が設けられていることを特徴とする、特に請求項１と２の少なくとも１つに記載の装置。
【請求項４】
多数の内側へ突出する突出部が、ほぼ一直線に配置されていることを特徴とする、特に請求項１から３の少なくとも１項に記載の装置。
【請求項５】
突出部の、分離装置と接触する側面が、ほぼ１つの平面内に配置されていることを特徴とする請求項４に記載の装置。
【請求項６】
突出部の側面が配置されている平面が、底装置の平面に対してほぼ垂直であることを特徴とする、特に請求項１から５の少なくとも１項に記載の装置。
【請求項７】
多数の突出部が、集合および／または分配装置の横方向に関して交互に互いに対して変位して配置されていることを特徴とする、特に請求項１から６の少なくとも１項に記載の装置。
【請求項８】
交互に互いに対して側方に変位して配置された突出部の、分離装置と接触する側面が、予め定められた角度で斜めに対向していることを特徴とする、特に請求項１から７の少なくとも１項に記載の装置。
【請求項９】
分離装置が、それぞれ互いに対して変位して配置された突出部の間に配置されていることを特徴とする、特に請求項１から８の少なくとも１項に記載の装置。
【請求項１０】
分離装置が０．２ｍｍ−５ｍｍ、好ましくは０．４ｍｍと２ｍｍの間、特に０．８ｍｍ−１．２ｍｍの厚みを有していることを特徴とする、特に請求項１から９の少なくとも１項に記載の装置。
【請求項１１】
内側へ突出する突出部が、底装置の平面に対してほぼ平行に延びる表面を有していることを特徴とする、特に請求項１から１０の少なくとも１項に記載の装置。
【請求項１２】
内側へ突出する突出部が、底装置の平面に関して予め定められた角度で斜めに延びる面を有していることを特徴とする、特に請求項１から１１の少なくとも１項に記載の装置。
【請求項１３】
内側へ突出する突出部が、０．２と５ｍｍの間、好ましくは０．４ｍｍと２ｍｍの間、特に好ましくは０．８ｍｍと１．２ｍｍの間にある高さを有していることを特徴とする、特に請求項１から１２の少なくとも１項に記載の装置。
【請求項１４】
内側へ突出する部分が、ほぼ連続的に底装置の長手方向に沿って延びていることを特徴とする、特に請求項１から１３の少なくとも１項に記載の装置。
【請求項１５】
分離装置が、内側へ突出するすべての部分の少なくとも１つの側面と少なくとも間接的に接触していることを特徴とする、特に請求項１から１４の少なくとも１項に記載の装置。
【請求項１６】
底装置と分離装置の間の接触領域に、結合媒体が設けられていることを特徴とする、特に請求項１から１５の少なくとも１項に記載の装置。
【請求項１７】
結合媒体が、半田、融剤などを含む、結合媒体のグループから選択されていることを特徴とする、特に請求項１から１６のいずれか１項に記載の装置。
【請求項１８】
分離装置が、分離壁として形成されていることを特徴とする、特に請求項１から１７の少なくとも１項に記載の装置。
【請求項１９】
底装置が、多数の透孔を有していることを特徴とする、特に請求項１から１８の少なくとも１項に記載の装置。
【請求項２０】
多数の透孔が、ほぼ長孔状のプロフィールを有していることを特徴とする、特に請求項１から１９の少なくとも１項に記載の装置。
【請求項２１】
透孔がカラーを有しており、前記カラーを通して貫流装置が挿通されることを特徴とする、特に請求項１から２０の少なくとも１項に記載の装置。
【請求項２２】
カラーが、集合および／または分配装置に関して内側を向いていることを特徴とする、特に請求項１から２１の少なくとも１項に記載の装置。
【請求項２３】
カラーの端部が、底装置の平面に関して異なる水準に配置されていることを特徴とする、特に請求項１から２２の少なくとも１項に記載の装置。
【請求項２４】
底装置の平面が、カラーの平面の水準よりも高く配置されていることを特徴とする、特に請求項１から２３の少なくとも１項に記載の装置。
【請求項２５】
分離装置によって形成される平面が、底装置のためのほぼ対称軸であることを特徴とする、特に請求項１から２４の少なくとも１項に記載の装置。
【請求項２６】
底装置の長さが、分離装置の長さを越えて突出していることを特徴とする、特に請求項１から２５の少なくとも１項に記載の装置。
【請求項２７】
多数の透孔内へ、ほぼフラット管形状の断面を有する多数の貫流装置が挿入されることを特徴とする、特に請求項１から２６の少なくとも１項に記載の装置。
【請求項２８】
内側へ突出する突出部の、分離装置と接触する側面が、底装置の、分離装置と接触する部分よりも大きいことを特徴とする、特に請求項１から２７の少なくとも１項に記載の装置。
【請求項２９】
底装置の、分離装置と接触する部分が、分離装置の厚みよりも広いことを特徴とする、特に請求項１から２８の少なくとも１項に記載の装置。
【請求項３０】
底装置の底面に対して突出する、多数の支持装置が設けられていることを特徴とする、特に請求項１から２９の少なくとも１項に記載の装置。
【請求項３１】
支持装置が、大体において透孔の間に配置されていることを特徴とする、特に請求項１から３０の少なくとも１項に記載の装置。
【請求項３２】
支持装置の少なくとも一部が、突出部へ移行していることを特徴とする、特に請求項１から３１の少なくとも１項に記載の装置。
【請求項３３】
底装置が、突出する周端縁を有していることを特徴とする、特に請求項１から３２の少なくとも１こうに記載の装置。
【請求項３４】
底装置が、その周面に１つのフラップ、好ましくは多数のフラップを有していることを特徴とする、特に請求項１から３３の少なくとも１項に記載の装置。
【請求項３５】
分離装置が、透孔に対して平行に延びていることを特徴とする請求項２０から３４のいずれか１項に記載の装置。
【請求項３６】
分離装置が、収容部分内に配置されており、前記収容部分がガイド面を有していることを特徴とする請求項３５に記載の装置。
【請求項３７】
熱を交換する装置を形成する方法であって：
少なくとも１つの突出部を有する底装置を形成するステップと；
突出部の少なくとも１つの側面と、底装置の、突出部の側面に隣接する、少なくとも１つの部分上に少なくとも１つの結合媒体を設けるステップと；
底装置に分離装置を配置し、分離装置が底装置および突出部の側面と少なくとも間接的に接触しているステップと；
を有する、熱交換装置を形成する方法。
【請求項３８】
少なくとも１つの内側へ突出する突出部が、底装置の加工によって形成され、その場合に加工が、打抜き、深絞りなどを有する加工のグループから選択されていることを特徴とする請求項３７に記載の方法。
【請求項３９】
多数の内側へ突出する突出部が形成されることを特徴とする、特に請求項３７と３８の少なくとも１項に記載の方法。
【請求項４０】
底装置の、内側へ突出する突出部に隣接する部分が、ほぼ底装置の平面内に延びていることを特徴とする、特に請求項３７から３９の少なくとも１項に記載の方法。
【請求項４１】
少なくとも１つの支持装置が、底装置内に形成されることを特徴とする、特に請求項３７から４０の少なくとも１項に記載の方法。
【請求項４２】
少なくとも１つの支持装置が、少なくとも１つの内側へ突出する突出部に移行するように形成されることを特徴とする、特に請求項３７から４１の少なくとも１項に記載の方法。
【請求項４３】
底装置に、多数の透孔が打ち抜かれることを特徴とする、特に請求項３７から４２の少なくとも１項に記載の方法。
【請求項４４】
各透孔内へ、フラット管形状の貫流装置が少なくとも部分的に挿入されて、底装置と各貫流装置との間に形状結合および／または材料結合および／または摩擦結合が形成されることを特徴とする、特に請求項３７から４３の少なくとも１項に記載の方法。
【請求項４５】
底装置と多数の貫流装置との間の摩擦結合、形状結合および／または材料結合が、半田付け、硬質半田付け、溶接などとこれらの方法の組合わせを有する方法のグループから選択された方法によって形成されることを特徴とする、特に請求項３７から４４の少なくとも１項に記載の方法。
【請求項４６】
分離装置が予め定められた力で、突出部の少なくとも１つの平面に対しても、底装置の部分に対しても圧接されることを特徴とする、特に請求項３７から４５の少なくとも１項に記載の方法。
【請求項４７】
他の処理ステップによって、底装置を包囲する端縁が形成されることを特徴とする、特に請求項３７から４６の少なくとも１項に記載の方法。
【発明の詳細な説明】
【技術分野】
【０００１】
本発明は、熱を交換する装置およびそれを形成する方法に関する。
【背景技術】
【０００２】
熱を交換する装置は、従来技術から、特に自動車領域においては、ずっと以前から知られている。これらの装置は、既知のように、冷媒のための供給部、冷媒を多数のフラット管へ分配するための分配管、フラット管を通過した後に冷媒を集める集合管および排出部を有している。その場合に、集合管と分配管を、分離壁を有する水ケースの形式にまとめることが可能である。その場合にはもちろん、分離壁が水ケースを流入側と流出側の部分領域に密に分離することが、保証されなければならない。
【０００３】
この理由から、従来技術においては、水ケースを２つの部分室に分割する、分離壁が使用される。その場合には、分離壁をできる限りコストを節約し、しかも密であるように集合ケース内へ接合する、という問題がある。
【０００４】
従来技術（たとえば、特許文献１を参照）から、自動車のためのアルミニウムからなる水／空気−熱交換器が知られており、それにおいては水ケースの分離壁が管底の溝および／またはスリット内へ嵌入し、その場合にフラット管が挿入されるカラーを交叉させながら係合が行われる。溝は、矩形の形状を有し、かつすべての側へ向かって画成された溝である。分離壁ないしその舌片の嵌入によって、熱交換装置の比較的信頼できる密封が達成される。しかし、形成する際に、融剤ないし半田が縁取られた溝内に集まって、それによってこの形成方法においては接合問題が生じる可能性がある。
【特許文献１】欧州特許ＥＰ０６５６５１７
【発明の開示】
【発明が解決しようとする課題】
【０００５】
従って本発明の課題は、熱を交換する装置を形成するための手間とコストを軽減することである。
【０００６】
さらに、流入側と流出側の領域において、互いに確実に分離され、ないしは密封された集合ケースを提供しようとしている。
【課題を解決するための手段】
【０００７】
この課題は、本発明によれば、少なくとも１つの流動可能な媒体のための少なくとも１つの第１の集合および／または分配装置を有し、その場合に集合および／または分配装置が、媒体が少なくとも部分的に流れることができる、多数の貫流装置と流体接続されており、かつ集合および／または分配装置が少なくとも１つの底装置、カバー装置および、集合および／または分配装置を少なくとも２つの部分室に分割する、分離装置を有している、熱を交換する装置によって解決される。その場合に底装置は、本発明によれば、底装置の、集合および／または分配装置に関して予め定められた平面内で内側へ突出する少なくとも１つの突出部を有しており、かつ分離装置の少なくとも１つの部分が突出部の少なくとも１つの側面および底装置の部分と少なくとも間接的に接触する。
【発明の実施の形態】
【０００８】
本発明の利点は、このようにして分離壁が同時に２つの側面と接触し、それによって装置の安定性を向上させることができることにあり、それは特に、重量およびコストを削減するために比較的肉薄の構成部品が使用される場合に、重要である。その他、本発明によれば、形成方法の間に半田、融剤などが空間的に限られた溝内に集まることが、防止される。
【０００９】
集合および／または分配装置というのは、流体を複数の管へ分配することができ、あるいは多数の管から流出する流体を集めることができる装置である。その場合にこの分配装置は、底装置とカバー装置を有しており、すなわち集合および／または分配装置は少なくとも、カバー装置と組み合わせることができる底装置から構築されている。底装置の予め定められた平面は、一方で、そこから内側へ突出する突出部が立ち上がり、他方では他の端縁領域が上昇または低下することができる、幾何学的な平面である。その場合に底装置の平面は、分離装置が添接する平面である。従ってこの平面は、図面を参照して説明するように、他の平面に関する基準平面である。
【００１０】
その場合に内側へ突出するというのは、突出部が集合および／または分配装置の内部へ突出することである。少なくとも間接的に接触するというのは、個々の関与する面が直接接触することができるか、あるいはこれらの面の間に他の材料ないし他の媒体が配置されていることである。それは、たとえば、半田層または融剤などであることができる。
【００１１】
他の好ましい実施形態において、内側へ突出する突出部は、底装置の平面とほぼ直角を形成する、少なくとも１つの側面を有しており、その場合に分離装置は、この直角に配置されている。これは、突出部が、上述したように、任意の幾何学的形状を有することができるが、その外側面の１つが底装置の平面と直角を形成するということである。その場合に分離装置は、この直角に配置されており、一方では、突出部の側面と、他方では、底装置の、この側面に隣接する部分と間接的に接触する。
【００１２】
他の好ましい実施形態において、多数の内側へ突出する突出部が設けられている。その場合に好ましくはこれら内側へ突出する全突出部が、少なくともそれぞれ、底装置の平面に対して垂直の側面を有している。
【００１３】
他の好ましい実施形態においては、多数の内側へ突出する突出部が、ほぼ一直線に配置されている。これは、突出部の、分離装置と接触し、かつ好ましくは底装置の平面ないし底面と直角を形成する側面が、ほぼ１つの平面内に配置されていることを、意味している。この平面は、好ましくは底装置の平面に対してほぼ垂直である。
【００１４】
分離装置は、個々の突出部の側面に配置されており、かつ個々の側面および底装置の平面と少なくとも間接的に接触する。その場合に個々の突出部は、互いに対して予め定められた間隔を有している。好ましい実施形態においては、個々の突出部は底装置の開口部によって中断され、その開口部を通して個々の貫流装置を集合および／または分配装置の内部へ案内することができ、その場合に好ましくは開口部と突出部が交互に配置されている。
【００１５】
他の好ましい実施形態においては、多数の突出部と部分が交互に互いに対して側方に変位して配置されている。これは、多数のうちの第１の部分量が第１のライン内に配置されており、多数のうちの第２の部分単位が第２のライン内に配置されていることを意味しており、その場合にこれらのラインは、好ましくはたがいに対して平行である。好ましくは、交互に互いに対して側方に変位して配置されている突出部の、分離装置と接触する側面が、大体においてそれぞれ予め定められた角度で斜めに対向している。これは、個々の突出部が互いに対してジグザグに配置されており、分離装置と接触する側面ないし個々の側面によって形成される平面が、互いに対してほぼ平行に対向していることを、意味している。
【００１６】
組み立てる場合に、分離壁は、部分がそれぞれ交互に異なる側から分離装置と接触するように、個々の突出部の間に配置される。すなわち、たとえば、第１、第３、第５、第７などの突出部が分離装置の一方の側と接触し、それに対して第２、第４、第６および第８の部分が分離装置の他方の側と接触する。
【００１７】
他の好ましい実施形態において、分離壁は０．２ｍｍ−５ｍｍ、好ましくは０．４ｍｍと２ｍｍの間、特に好ましくは０．８ｍｍから１．２ｍｍの厚みを有している。好ましくは分離壁は、少なくとも部分的に、特に（しかしそれに限らないが）半田コーティング、亜鉛などにのような、層で被覆されている。記載された領域における分離壁の厚みが、特に効果的に、一方では、重量およびコストを節約するために用いられ、他方ではまた集合ケースの確実な分離をもたらすことが、明らかにされている。
【００１８】
他の好ましい実施形態においては、内側へ突出する突出部は、底装置に対してほぼ平行に延びる面−特に表面−を有している。他の好ましい実施形態においては、内側へ突出する突出部は、底装置の平面に関してほぼ斜めに延びる面を有している。従って内側へ突出する突出部は、少なくとも１つの斜面を有するステップの形状を有している。
【００１９】
その他、突出部は、底装置の平面に対してほぼ垂直な他の面を有しており、その面は、特に好ましくは、前述した面に対してほぼ垂直である。このステップのイメージに基づくと、この面はステップの幅を画成する側面である。
【００２０】
他の好ましい実施形態においては、内側へ突出する突出部は、２ｍｍと１０ｍｍの間、好ましくは３ｍｍと８ｍｍの間、特に好ましくは４ｍｍと６ｍｍの間にある高さを有している。
【００２１】
集合および／または分配装置の長手方向に沿った側面の広がりは、２ｍｍと１０ｍｍの間、好ましくは３ｍｍと８ｍｍの間、特に好ましくは４ｍｍと６ｍｍの間にある。
【００２２】
得られる、底装置の平面に対してほぼ垂直な側面は、特に効果的に、分離装置との確実な接触を保証することが、明らかにされている。
【００２３】
他の好ましい実施形態においては、内側へ突出する部分は、ほとんど中断されずに底装置の流れ方向に沿って延びている。これは、底装置の長手方向に沿ってほぼつながったステップが生じ、そのステップに分離装置が配置されることを、意味している。
【００２４】
特に好ましい実施形態においては、分離装置は、内側へ突出するすべての部分のそれぞれ少なくとも１つの側面と、少なくとも間接的に接触する。
【００２５】
その場合に、特に好ましくは、底装置および側面と分離装置との間に、分離装置と底装置との間の材料結合を促進するために、結合媒体が設けられている。この結合媒体は、半田、特にアルミニウムを有する半田、融剤などを含む、結合媒体のグループから選択されている。
【００２６】
他の好ましい実施形態において、分離装置は、分離壁として形成されている。すなわち、分離装置は、集合および／または分配装置の内部に延びる、ほぼ二次元の形成物である。
【００２７】
他の好ましい実施形態において、底装置が多数の透孔を有しており、その場合に特に好ましくは多数の透孔がほぼ長孔状のプロフィールを有している。その場合に個々の突出する部分が、好ましくはそれぞれ透孔の間に配置されている。
【００２８】
透孔は、フラット管形状のプロフィールを有する多数の貫流装置を集合および／または分配装置内へ導入するために用いられる。この目的のために、透孔は、貫流装置のプロフィールに適合されたプロフィールを有している。特に好ましくは、フラット管形状の貫流装置が、互いに対して分離された、液状および／またはガス状の媒体のための、２つの流れルートを有している。
【００２９】
この分離は、貫流装置の内部の分離壁によって行うことができるが、貫流装置の、好ましくは中央の領域を圧接し、それによって２つのチャンバが生じるようにすることも可能である。その他、半田付けプロセスの進行中に２つの領域の間に分離が生じるようにすることも、可能である。
【００３０】
長孔状のプロフィールと言うのは、開口部がほぼ一方向に延びており、それに対して垂直の方向にはわずかしか延びていないことである。他の好ましい実施形態においては、分離装置によって形成される平面が、底装置のためのほぼ対称平面となる。その場合に個々の透孔も分離装置によってほぼ中央で分割される。このような対称性を考える場合には、万一生じる流出などは、考慮されない。
【００３１】
好ましい実施形態において、透孔は周端縁ないしカラーを有している。形成する場合に、このカラーを通して貫流装置が挿通され、好ましくはカラーと形状結合および／または材料結合および／または摩擦結合によって結合される。
【００３２】
好ましくは、カラーは集合および／または分配装置に関して内側、すなわち貫流装置の端部の方向を向いている。カラーは、好ましくは貫流装置の形状および／または形態に適合されて、この貫流装置をほぼ完全に包囲している。その場合に、ほぼ完全と言うのは、カラーの、周方向における比較的小さい領域、たとえば、貫流装置の分離領域が設けられている領域が、切り欠かれていてもよいことを意味している。
【００３３】
内側へ突出するカラーによって、底装置と貫流管との間の結合を促進することができる。
【００３４】
他の好ましい実施形態において、カラーの端部は、底の平面に関して異なる水準に配置されている。具体的には、カラーの端部は底装置の水準に比較して、集合および／または分配装置の内部へさらに深く達し、あるいは特に好ましい実施形態においては、より少なく達する。後者の場合、すなわち底装置の平面がカラーの水準よりも高く配置されている場合には、底装置内へ挿入された分離壁ないし分離装置がカラーの上方に位置し、従って分離装置とカラーの交叉は生じない。このようにして、より高い密封作用を達成することができる。
【００３５】
他の実施形態において、カラーは集合および／または分配装置に関して外側を向いている。他の実施形態においては、カラーの幾つかが集合および／または分配装置に関して内側を向き、他のものが外側を向いている。
【００３６】
原理的には、組み込まれた状態において分離壁の両側に、それぞれ互いに対して分離された透孔を設けることが可能である。しかし、好ましい実施形態においては、透孔は底装置の幅の大部分に沿って延びており、その中央の領域においても好ましくは狭められた領域によって互いに結合されている。
【００３７】
他の好ましい実施形態において、底装置の長さは分離装置の長さを越えて突出している。その場合に分離装置は好ましくは、底装置ともカバー装置とも接触して、これらを結合する。その場合に好ましくは、多数の個々の透孔内へほぼフラット管の断面を有する多数の貫流装置が挿入されて、次の作業ステップにおいて半田付けされる。
【００３８】
他の好ましい実施形態において、内側へ突出する突出部の、分離装置と接触する側面は、底装置の、分離装置と接触する部分よりも大きい。ということは、それぞれの側面が、それに対応づけられた、好ましくはそれに対して垂直の底装置の平面内の面を、大きさに関して越えて突出していることを意味する。このようにして、集合および／または分配装置の内部で分離壁を効果的に支持することができる。
【００３９】
他の好ましい実施形態においては、底装置の、分離装置と接触する部分は、分離装置の厚みよりも広い。従って分離装置は、好ましくは溝またはスリット内へ導入されず、分離装置との接触が生じる底領域が、分離装置自体よりも広い。
【００４０】
他の好ましい実施形態において、底装置の予め定められた平面ないし底面に対して突出した、多数の支持装置が設けられている。これらの支持装置は、底装置を屈曲に対して安定化させる、予め定められた長さの突出部である。その場合に個々の支持装置は、大体において透孔の間に配置されている。好ましくはこれらの支持装置の少なくとも一部が、突出部へ移行している。これは、突出部を有するそれぞれの支持装置が、ほぼＴ字状のプロフィールを有していることを、意味している。
【００４１】
他の好ましい実施形態において、底装置は、突出する周端縁を有している。これは、底装置の平面から始まって上方へ、たとえば第２のカバー装置の方向へ延びる、端縁が設けられていることを意味している。周端縁は、底装置をカバー装置と結合するために、用いられる。特に好ましくは、底装置は周端縁に少なくとも１つのフラップ、好ましくは多数のフラップを有している。これらのフラップは、同様に、第２のカバー装置と結合するために用いられ、それによって底装置とカバー装置を集合および／または分配装置にまとめることができる。
【００４２】
他の好ましい実施形態において、分離装置、特に分離壁は、透孔に対してほぼ平行に方向付けされている。好ましくは分離装置は、分離装置を保持するためのガイド面を有する収容部分内に配置されている。
【００４３】
本発明は、さらに、以下の処理ステップを有する、熱を交換する装置を形成する方法に関する。第１の処理ステップにおいて、少なくとも１つの突出部を有する底装置が形成される；他の処理ステップにおいて、突出部の少なくとも１つの側面上に結合媒体が設けられる。
【００４４】
その他、結合媒体が、底装置の、少なくとも１つの突出部の側面に隣接する部分上にも設けられる。他のステップにおいて、分離装置が底装置に、分離装置が底装置とも突出部の側面とも少なくとも間接的に接触するように、配置される。
【００４５】
その場合に好ましくは、多数の突出部が設けられており、分離装置ないし分離装置の側面がそれら突出部と接触される。
【００４６】
好ましくは本方法において、分離装置が個々の突出部の側面上に載置されて、次に半田付けされ、その場合に半田付けプロセスの間に、側面と分離装置の間の接触を形成するために重力の作用が利用される。
【００４７】
他の好ましい実施形態において、少なくとも１つの内側へ突出する部分が、底装置を加工することによって形成され、その場合に加工は、打抜き、深絞りなどを有する加工のグループから選択される。
【００４８】
他の好ましい実施形態において、底装置の、内側へ突出する部分に隣接する部分は、大体において底装置の平面内に延びている。これは、底装置が、たとえば薄板の形状で存在していることを意味しており、その場合に個々の透孔は、たとえば打ち抜かれており、支持装置と内側へ突出する部分のような、個々の隆起部は、プレス、絞りなどによって形成される。
【００４９】
従って、底装置の平面として、そこから内側へ突出する部分と他の装置とが延びる、分離壁と接触する平面が考えられる。
【００５０】
好ましくはさらに、支持装置が底装置内に形成され、その場合にその支持装置は、特に好ましくは、少なくとも１つの内側へ突出する部分へ移行している。さらに、好ましくは、底装置に多数の透孔が打ち抜かれ、その場合に特に好ましくは、透孔の、集合および／または分配装置の内部へ突出する、それぞれのカラーが形成される。その場合にこれらのカラーは、好ましくは、個々の透孔をほぼ完全に包囲する。その場合にほぼ完全と言うのは、カラーの小さい領域を切り欠いて、そこを通って分離装置が延びるようにできることを意味している。
【００５１】
好ましくは、さらに、各透孔内にフラット管形状の貫流装置が少なくとも部分的に挿入されて、底装置と各貫流装置との間に摩擦結合、形状結合および／または材料結合が形成される。
【００５２】
特に好ましくは、底装置と多数の貫流装置との間の結合は、半田付け、溶接などとそれらの方法の組合わせを有する方法のグループから選択された方法によって形成される。
【００５３】
さらに、好ましくは、分離装置が予め定められた力で突出部の側面に対しても底装置の部分に対しても圧接される。その場合に好ましくは、上述したように、側面に対して圧接する場合に重力の作用を利用することができる。
【００５４】
さらに、好ましくは、他の処理ステップによって底装置を包囲する端縁が形成される。この端縁を形成する場合にも、たとえば、深絞り、曲げ処理などのような方法を利用することができる。
【００５５】
本発明は、さらに、上述した熱を交換する装置を自動車の空調設備内で使用することに関する。
【００５６】
本発明に基づく装置および方法の利点が、添付の図面から明らかにされる。
【実施例】
【００５７】
図１には、本発明に基づく熱を交換する装置の一部が示されている。その場合に本発明に基づく装置は、多数の貫流装置４０を有しており、それらは互いに対してほぼ平行に配置されている。これらの貫流装置４０の少なくとも一方の端部の終端部分４２が、底装置１を貫通して突出している。好ましい実施形態において、貫流装置４０の下方の端部には、ここには図示されていない種類の、他の底装置が配置されている。組み合わせた状態において、熱を交換する装置は、（図示されていない）カバー装置を有し、それが、分離壁によって互いに分離された２つの部分室を生じさせ、その場合に１つの部分室は分離壁の図中左に位置し、１つの部分室は分離壁３０の図中右に位置する。これらの室は、分離壁３０によってほぼ気密および／または水密に分離される。
【００５８】
図２は、図１の詳細を分解して示している。分離壁３０は、０．２ｍｍと５ｍｍの間、好ましくは０．５ｍｍと３ｍｍの間、特に好ましくは０．７ｍｍと１．２ｍｍの間の厚みＤＴを有している。分離壁は、多数の切欠きまたはスリット３２を有しており、組み立てる際にその中へ個々のフラット管４０の領域４５ないしこれらの領域の端部が挿入される。図１には、これが組み立てられた状態で示されている。
【００５９】
個々の貫流装置４０は、この実施形態においては、第１の流れチャンバ４６と第２の流れチャンバ４８を有している。流れチャンバ４６と４８の横断面は、大体においてフラット管形状であって、従って断面において予め定められた長さとこの長さに比較してずっと小さい幅を有している。流れチャンバの代りに、流体ないし冷媒のための多数の通路を設けることもできる。貫流装置は、流れチャンバ４６と４８の間において、狭まった領域４５を有している。この狭まった領域の厚みＤＦは、０．５ｍｍと６ｍｍの間、好ましくは１ｍｍと４ｍｍの間、特に好ましくは１．５ｍｍと２．７ｍｍの間にある。
【００６０】
上述したように、この狭まった領域４５において、流れチャンバ４６と４８は互いに対して気密および／または水密に分離される。形成する場合には、狭まった領域は、貫流装置の該当する箇所をプレスすることによって形成することができる。その他、内壁のこの領域を半田コーティングすることもできるので、半田づけプロセスの間に気密および／または水密の結合が生じる。
【００６１】
参照符号４３と４４は、流れチャンバ４６と４８の間の移行領域を示している。この領域において、貫流装置の幅が、横方向１Ｂに対して予め定められた角度で領域４５へ向かって減少する。この角度は、１０°と９０°の間、好ましくは３０°と９０°の間、特に好ましくは６０°と８５°の間にある。しかしまた、領域４３と４４を中央の領域４５の方向へ屈曲し、あるいはアーチ状に細くすることも可能である。図２において、参照符号７ａと７ｂは、底装置に設けられている左ないし右の突出部を示している。その場合に突出部は、分離壁に関してそれぞれ交互に右と左に配置されている。突出部７ａと７ｂの間の、すなわちこの場合において、突出部７ｂと、隣接する突出部７ａが配置されている位置に相当する位置との間の、間隔ＤＡは、０．５ｍｍと８ｍｍの間、好ましくは１．５ｍｍと５ｍｍの間、特に好ましくは１．８ｍｍと４ｍｍの間にある。
【００６２】
図３は、本発明に基づく底装置の詳細を第１の実施形態において示している。その場合に参照符号７ａと７ｂは、それぞれ左ないし右の突出部に関する。参照符号８ｂは、突出部７ｂの、分離壁３０と接触する部分を示している。同様に、突出部７ａの部分８ａも、分離壁３０と接触する。この実施形態において、個々の突出部７ａないし部分８ａは、大体において、底装置の平面に対して垂直な平面内に配置されている。突出部７ｂの部分８ｂも、同様に、底装置の平面に対して垂直な平面に配置されているが、前述した平面に対して側方へ変位している。従って間隔ＤＡは、これらの平面の互いに対する間隔も表している。
【００６３】
参照符号９は、底装置の、分離壁と少なくとも間接的に接触する部分を示している。その場合に底装置のこの部分は、大体において底装置の平面内にある。
【００６４】
図示のように、この実施例においては、交互の側に段部７ａと７ｂを有する配置が設けられている。
【００６５】
図３から明らかなように、底装置の、少なくとも間接的に分離装置３０と接触する部分は、予め定められた高さ水準Ｎ２にあり、それに対して底装置の領域１１の水準Ｎ１は、低くなっている。従ってＮ２は、底装置の平面の水準であり、従って冒頭で述べた基準平面である。参照符号３は、貫流装置４０の端部領域４２を挿通させることができる、間隙ないし透孔に関する。この間隙は、狭まった中央の領域４を有しており、その領域は、上述したように、貫流装置４０の狭まった領域４５を収容するために設けられている。
【００６６】
参照符号５は、透孔に挿通される貫流装置４０の確実な保持を保証する、カラーに関する。
【００６７】
図から明らかなように、底装置の底部分９が配置されている水準Ｎ２は、カラー５が終了する水準Ｎ３の上方に位置している。
【００６８】
しかしここで、水準Ｎ１、Ｎ２およびＮ３の他の関係を設けることもできる。すなわち、たとえば全部の水準を同一の高さにすることができ、水準Ｎ２を水準Ｎ３の下方に配置することができる。
【００６９】
図４は、図３に示す底装置を他の視点で示している。その場合に、図から明らかなように、交互に配置されている突出部７ａと７ｂは、それぞれステップ形状に形成されている。これは、分離壁３０が添接する部分８ａないし８ｂの他に、部分８ａ、８ｂに対してほぼ垂直に延びる、上方の部分１８ａ、１８ｂが設けられていることを、意味している。その他にさらに、部分８ｂに対してほぼ平行かつ部分１８ｂに対してほぼ垂直に延びる、後方の部分１９ａ、１９ｂが設けられている。このようにして、突出部７ａ、７ｂは、ほぼ逆さのＵ字の形状を有している。突出部の高さ、すなわち上方の平面１８ｂと部分９の間の間隔は、０．３ｍｍと３ｍｍの間、好ましくは０．６ｍｍと２ｍｍの間、特に好ましくは０．８ｍｍと１．５ｍｍの間にある。
【００７０】
参照符号１１は、底装置内の支持装置に関するものであって、その表面が水準Ｎ１にある。
【００７１】
図５は、本発明に基づく底装置の背面を示している。その場合に参照符号３は、ここでも、貫流装置を挿通させるために設けられた開口部を示し、参照符号４は中央の狭まった領域を示している。参照符号８ａは、ここでは、分離壁３０が配置されている部分の後ろ側の部分に関する。この表示においても明らかなように、底部分９の水準は、切欠き１１の水準に対して変位している。
【００７２】
図６は、本発明に基づく底装置の他の実施形態の詳細を示している。上述した実施形態とは異なり、ここでは底部分９の両側に突出部７ａと７ｂが配置されている。これら突出部の間に、（図示されていない）分離壁が設けられており、かつ下から（同様に図示されていない）貫流装置が挿通される。
【００７３】
この実施形態においては、分離壁は突出部７ｂの部分８ｂにも、突出部７ａの部分８ａにも添接する。しかしまた、分離壁の厚みを、図６の厚みＤＡの下にあるように、選択することも可能である。この場合においては、分離壁は、好ましくは部分８ａに添接するか、あるいは部分８ｂに添接する。その他、分離装置が波形またはジグザグのプロフィールを有し、交互に突出部８ａと８ｂに添接することも可能である。
【００７４】
図３におけるように、ここでも面１８ａと１９ａないし１８ｂと１９ｂは、底装置の長手方向ｌにおいて、対応する面８ｂと８ａよりも短い広がりを有している。その理由は、部分８ｂが、それぞれのフラット管の狭まった中央領域４５に適合されており、従って個々の面８ａおよび面８ｂの間の間隔が貫流装置の中央の領域４５の厚みに適合されていることにある。この実施形態においても、底部分９は、それぞれの部分１１よりも高い水準にある。
【００７５】
図７は、図６に示す底装置の実施形態を他の視点で示している。図７から明らかなように、底装置は、好ましくは（図示されていない）分離壁に関して中央に延びる、幾何学的平面に対して対称である。
【００７６】
図８は、図７に示す実施形態の下方の面を示している。支持装置１１の湾曲は、底装置の安定性を向上させるために用いられる。カラー５は、この実施形態においても、それぞれの開口部３へ挿通された貫流管との確実な保持を達成するために用いられる。好ましい実施形態においては、それぞれの（図示されていない）貫流管ないしその終端部分は少なくとも部分的にカラー５を中心に折り返されて、それによって相互の保持を支援する。
【００７７】
これまで挙げたすべての実施形態において、それぞれ形成プロセスの間に底部分９および突出部７ａ、７ｂの側方部分８ａ、８ｂ上へ塗布された融剤または半田媒体が流出することができ、閉成された領域の内部に堰き止められない。図３から５に示す実施形態においては、媒体はそれぞれ開口部３ないし間隙４の方向においても、それぞれの突出部とは反対の方向にも流れることができ、図６から８に示す実施形態においては、媒体は大体においてそれぞれの開口部３と４の方向にだけ流出することができる。
【００７８】
図９に示す本発明に基づく底装置は、図３に示す実施形態に似ている。付加的に、この実施形態の場合においては、分離壁の挿入を容易にする補助突出部１２ａ、１２ｂが設けられている。この目的のために、分離壁は、好ましくは開口部ないしスリット３２の他に、その形状が突出部１２ａと１２ｂを考慮する、（図示されていない）舌片ないし終端領域を有している。しかし、この実施形態の代りに、それぞれ長手側の補助突出部１２ａのみ、ないしはそれぞれ右側の補助突出部１２ｂのみを設けることもできる。また、補助突出部１２ａと１２ｂを個々の底部分９にそれぞれ交互に配置することも、可能である。
【００７９】
補助突出部１２ａないし１２ｂは、底面９に対して予め定められた角度で傾斜した面２２ａを有している。この角度は、０°と９０°の間、好ましくは１０°と７０°の間、特に好ましくは２０°と５０°の間にある。この実施形態においては、個々の補助突出部はそれぞれのカラー５で終わっている。しかし、突出部は、その高さ水準に関しても、カラー５ないしカラー５の水準より高く達することはできない。
【００８０】
補助突出部１２ａないし１２ｂの利点は、分離壁を挿入する際の付加的な安定性を達成することにある。他の実施形態においては、それぞれ補助突出部１２ａと補助突出部１２ｂを、それらが接触するようにまとめて案内することができる。しかしこの場合においては、分離壁は、好ましくはそれに応じた切込み（図示せず）を持たなければならない。
【００８１】
この実施形態においても、カラー５の端部は、好ましくは底装置の平面の、すなわち部分９の平面の下方に配置されている。
【００８２】
図１０には、図９に示す底装置の実施形態の他の面が示されている。図から明らかなように、補助突出部１２ａないし１２ｂはその高さに関して突出部７の高さ水準にはまったく達していない。しかしこれは、必要ではない。補助突出部がメイン突出部７ｂより高い位置にあり、ないしは同じ水準にあることも可能である。ここに図示されている実施形態においては、最も高い水準は突出部７ｂの水準であって、それに補助突出部１２ａ、１２ｂおよびカラー５の水準が続き、最も低い水準は切欠き１１の水準である。
【００８３】
この実施形態においても、間隔ＤＡは、前の実施例における間隔にほぼ相当する。この実施形態においては、半田媒体は好ましくはそれぞれ、突出部７ａないし７ｂが配置されていない側へ流出することができる。その他、補助突出部１２ａ、１２ｂは、補助突出部と該当する部分７ａおよび７ｂとの間に間隙が残って、その間隙を通って液状の結合材料が流れることができるように、配置することもできる。
【００８４】
図１１は、図９と１０に示す実施形態の背面を示している。特に、ここでも補助装置１２ｂが見られ、それに対して補助装置１２ａはそれぞれ反対の側に見られる。
【００８５】
図１２に示す本発明に基づく底装置の他の実施形態は、図６に示す実施形態に似ている。しかし、図１２に示す実施形態の場合においても、分離壁の挿入を容易にする補助突出部１２ａと１２ｂが設けられている。補助装置１２ａと１２ｂの水準が突出部７ａと７ｂに比較して低いことによって、ここでは製造方法の間に、たとえば融剤のような媒体が開口部４の方向へ流出することができる。その他、ここでも、部分８ａ、８ｂと補助突出部との間に、融剤の通過を許す間隙を設けることができる。
【００８６】
図１３は、図１２に示す実施形態の他の面を示している。ここでも補助突出部１２ａと１２ｂが設けられている。この実施形態においても、底部分９とカラー５は異なる高さ水準に位置し、もっと正確に言うと、部分９はカラー５の端部よりも高い。
【００８７】
図１４には、図１２から１３に示す実施形態の背面が示されている。この場合にも、それぞれの突出部が裏側においてほぼＵ字の形状をとっていることがわかる。補助突出部１２ａと１２ｂは、この場合においても、底部分に対して上に示した傾斜をもって示されている。
【００８８】
領域１１は、同様にこの図の側面図において逆さにされたＵ字の形状を有しており、その場合に部分１１の側面は底部分９に対してほぼ平行に延びており、他の部分１１ａないし１１ｂはそれに対して予め定められた角度で配置されている。この角度は、０°と９０°の間、好ましくは２０°と７０°の間、特に好ましくは３０°と６０°の間にある。
【００８９】
図１５ａは、従来技術に基づく底装置の横断面を示している。この底装置においては、溝３８が設けられており、その中へ（図示されていない）分離壁が挿入される。参照符号２８は、底装置上に塗布される、融剤ないし半田に関する。その場合に従来技術においては、溝３８はシート平面においても塞がっている。それによって、融剤が溝底上に集まって、次に挿入された分離壁は場合によってはもはや溝底へ達することができない。その他、溝３８の側面３０ａにおける融剤の厚みが著しく変化し、それによって接合問題が生じることがある。
【００９０】
図１５ｂは、本発明に基づく底装置の横断面を図式的に示している。ここでは片側の段部７によって融剤は側方へ流れることができるので、ほぼ一定の融剤厚みが達成される。このようにして、接合問題をより良く扱うことが可能である。
【００９１】
図１５ｂに示す実施形態においては、段部は、底部分９に対してほぼ垂直の部分８ａを有している。しかし、角度はこれとは異なるように選択することができ、たとえば分離壁が下方の領域において、この種の斜面に適合された、斜めにカットされた領域を有する。突出部７の部分１８は、底部分９に対してほぼ平行に延びている。部分１９は、部分１８に対して角度をつけて配置されている。その場合にこの角度は、０°と９０°の間、好ましくは２０°と７０°の間、特に好ましくは４０°と６０°の間にある。参照符号２７は、底装置に設けられている側方の端縁を示しており、その端縁は（図示されていない）カバー装置と結合するために用いられる。図１５ｃには、本発明に基づく底装置の他の実施形態が示されている。ここでは、突出部は開放した矩形の形状を有し、すなわち部分１９と部分８ａは、互いに対してほぼ平行に延びている。好ましい形成方法においては、分離壁を部分８ａ上に載置することが可能であって、その場合に分離壁は重力の作用によって部分８ａ上に押圧される。さらに、分離壁は、（図示されていない）カバー装置によって締め付けることによって部分９に対して押圧される。次に、このように予め安定された集合および／または分配装置を半田付けすることができる。
【００９２】
図１５ｄには、本発明に基づく底装置が上面で図式的に示されている。その場合に参照符号４２は、底装置に挿通された貫流装置４０の終端部分を示している。参照符号７ａと７ｂは、この場合においても交互に配置された突出部を示しており、それらがそれぞれＦで示す力を分離壁３０に加える。この場合において、交互の突出部７ａ、７ｂによって分離壁が底装置に対して安定化される。しかし同時に、それぞれ片側に配置されている段部から融剤がそれぞれ存在している段部と対向する側へ流出することができる。
【００９３】
図１６は、本発明に基づく底装置の他の実施形態を背面で示しており、すなわち貫流装置はこの表示においてシート平面の方向へ挿入される。この場合において、交互の段部７ａと７ｂおよび、分離壁の挿入を容易にする補助突出部１２ａと１２ｂが設けられている。同様に、この実施形態においては、貫流装置の領域４５に適合されて、狭められた領域４がよく見える。参照符号１５は底装置の端縁領域に関し、参照符号１６は、（図示されていない）カバー装置を結合するために用いられる、フラップに関する。同様に、フラップ１４が、カバー装置との結合に用いられる。
【００９４】
図１７には、この場合には片側の段部７ａを有する、本発明に基づく底装置の他の実施形態が示されている。図１６に示す実施形態と同様に、ここでも形成する場合に融剤は側方に領域１１内へ流出するので、このようにして底部分９の領域内に融剤がたまることを阻止することができる。開口部３は、上述したように、貫通した開口部であって、中間領域４内に著しく狭まった断面を有している。また、中間領域４を完全に閉鎖することも可能であるが、この場合には貫流装置はこの領域にそれに応じた部分を持たなければならない。この実施形態においても、（図示されていない）カバー装置と結合するために用いられる、２つのフラップ１４と端縁領域１５および他のフラップ１６が設けられている。
【００９５】
図１８は、本発明に基づく熱を交換する装置の他の実施形態を斜視図で上から示している。底装置１は、透孔３を有しており、その透孔がカラー５によって包囲される。その場合にカラー５は、斜面６によって底装置１の基部１３と結合されている。図示されていない、該当するフラット管を収容するための透孔に対して横方向のほぼ中央において、分離壁を収容するための突出部７ａ、７ｂを有する底部分９が示されている。透孔のカラーの外側の端部に、それぞれ間隙１１が配置されている。透孔３、間隙１１を有するカラー５は、組み合わされたけがきおよび打抜き方法によって形成することができる。
【００９６】
図１９は、底装置９を下から、すなわち背面において示している。透孔３、突出部７ａ、７ｂを有する底部分９の他に、透孔３の狭められた領域４が認識される。
【００９７】
図２０と図２１は、図１８および１９に相当する他の斜視図である。従って説明するために、図１８と１９の上述した説明を参照することができる。
【００９８】
図２２は、図１８の底装置を使用した、本発明に基づく熱を交換する装置を示している。フラットパイプないし流れチャンバ４６と４８および狭められた領域を有する貫流装置４０が、透孔３の狭められた領域４を通して底装置１内へ挿入される。底部分９において、分離壁３０に、流れを分離するために用いられるスリットが形成されている。
【００９９】
図２３は、底装置１、挿入された多数の貫流装置４０および分離壁３０からなる、図２２に基づく装置を示している。
【０１００】
図２４は、図１８の底装置１を分離壁３０に対して垂直の断面で示しており、その場合に断面は分離壁３０のスリット３２を通り、従って透孔３に沿って延びている。
【０１０１】
図２５は、図１８の底装置１を挿入された分離壁３０に対して垂直の他の断面で示しており、その場合に断面は分離壁３０のスリットのない領域を通り、従って透孔３０に沿って延びていないので、底装置１の基部１３が認識される。
【０１０２】
図２６は、透孔５を有する底装置１の他の実施形態を示しており、その透孔は、斜面６上に配置されたカラー５によって包囲されており、その場合に斜面６は、底装置の基部１３との結合をもたらす。図１８の底装置と同様に、透孔３に対してほぼ垂直に延びる、対向する突出部７ａ、７ｂを備えた底部分９が設けられており、その底部分は図示されていない分離壁を収容するために用いられる。図１８の実施形態とは異なり、底部分９に対して垂直に延びる他の収容部分３４が設けられており、その収容部分は、底装置の平面に垂直なガイド面３５ａ、３５ｂ、３５ｃおよび３５ｄを有している。収容装置３４とガイド面３５ａ、３５ｂ、３５ｃ、３５ｄを用いて他の分離壁を底装置１内へ挿入することができ、それによって流れを多重に分割することが可能である。
【０１０３】
図２７は、図２６の底装置を背面で示している。図から明らかなように、背面における２つの収容部分９と３４の交叉は、クロス３６の形状を有している。
【０１０４】
図２８は、図２６に示す底装置１、他の分離壁３１および多数の貫流装置４０を有する、本発明に基づく熱を交換する装置を、分解斜視図で示している。他の分離壁３１は、細長い透孔３０の方向に延びており、この他の分離壁３１のみが使用された場合に、流れを２つの領域に分割する。底部分９に、図示されていない、該当する「第１の」分離壁３０が挿入された場合に、多重の分割がもたらされる。
【０１０５】
図２９は、図２６に示す底装置１、他の分離壁３１および多数の貫流装置４０を有する、図２８の本発明に基づく熱を交換する装置を背面から分解斜視図で示している。図からは、底装置１のほぼ中央に配置されたクロス３６が認識されるので、透孔３に対して垂直の方向または平行な方向に延びる分離壁を使用することができる。
【０１０６】
図３０は、分離壁３１、底装置１および多数のフラット管４０を有する、図２８に示す熱を交換する装置を組み立てた状態で示している。
【０１０７】
そして図３１は、他の分離壁３１を有する底装置１を図２６の底部分９に沿った断面で示しているので、基部１３内の透孔３の狭められた領域４が認識される。
【図面の簡単な説明】
【０１０８】
【図１】本発明に基づく熱を交換する装置の一部を示している。
【図２】図１に示す部分を分解して示す斜視図である。
【図３】本発明に基づく底装置の一部を第１の視点で示す斜視図である。
【図４】図３に基づく底装置を他の視点から示している。
【図５】図３に示す底装置を背面から示している。
【図６】本発明に基づく底装置の他の実施形態の詳細を示している。
【図７】図６に示す底装置の他の表示である。
【図８】図６に示す底装置を背面から示している。
【図９】本発明に基づく底装置の他の実施形態を詳細に示している。
【図１０】図９に示す底装置をさらに詳細に示している。
【図１１】図９に示す底装置の背面図である。
【図１２】本発明に基づく底装置の他の実施形態を詳細に示している。
【図１３】図１２に示す底装置の他の表示である。
【図１４】図１２に示す底装置の背面図である。
【図１５】図１５ａは従来技術に基づく底装置の図式的な表示であり、図１５ｂは本発明に基づく底装置の図式的な表示であり、図１５ｃは本発明に基づく底装置の図式的な上面図であり、図１５ｄは本発明に基づく底装置の図式的な表示である。
【図１６】本発明に基づく底装置の他の実施形態を後ろ側から示している。
【図１７】本発明に基づく底装置の他の表示である。
【図１８】本発明に基づく底装置の他の実施形態を示す斜視図である。
【図１９】本発明に基づく底装置の他の実施形態を後ろ側から示している。
【図２０】図１８に示す本発明に基づく底装置の他の表示である。
【図２１】図１８に示す本発明に基づく底装置の他の実施形態を示す背面図である。
【図２２】本発明に基づく熱を交換する装置を分解して示す斜視図である。
【図２３】図２２に示す装置の表示である。
【図２４】図２３の底装置を分離壁に対して横方向に分離壁スリットに沿って示す断面図である。
【図２５】図２３の底装置をスリットのない分離壁に対して横方向に示す断面図である。
【図２６】本発明に基づく底装置を他の実施形態において示す斜視図である。
【図２７】本発明に基づく底装置の他の実施形態を背面から示している。
【図２８】本発明に基づく熱を交換する装置の他の実施形態を分解して示す斜視図である。
【図２９】本発明に基づく熱を交換する装置の他の実施形態を分解して示す斜視図である。
【図３０】熱を交換する装置の他の実施形態を示す斜視図である。
【図３１】図２０に示す装置の底装置を示す断面図である。
【図１】
2007526431.tif 000003
【図２】
2007526431.tif 000004
【図３】
2007526431.tif 000005
【図４】
2007526431.tif 000006
【図５】
2007526431.tif 000007
【図６】
2007526431.tif 000008
【図７】
2007526431.tif 000009
【図８】
2007526431.tif 000010
【図９】
2007526431.tif 000011
【図１０】
2007526431.tif 000012
【図１１】
2007526431.tif 000013
【図１２】
2007526431.tif 000014
【図１３】
2007526431.tif 000015
【図１４】
2007526431.tif 000016
【図１５】
2007526431.tif 000017
【図１６】
2007526431.tif 000018
【図１７】
2007526431.tif 000019
【図１８】
2007526431.tif 000020
【図１９】
2007526431.tif 000021
【図２０】
2007526431.tif 000022
【図２１】
2007526431.tif 000023
【図２２】
2007526431.tif 000024
【図２３】
2007526431.tif 000025
【図２４】
2007526431.tif 000026
【図２５】
2007526431.tif 000027
【図２６】
2007526431.tif 000028
【図２７】
2007526431.tif 000029
【図２８】
2007526431.tif 000030
【図２９】
2007526431.tif 000031
【図３０】
2007526431.tif 000032
【図３１】
2007526431.tif 000033
【国際調査報告】
2007526431.tif 000034
2007526431.tif 000035
2007526431.tif 000036
2007526431.tif 000037